(57)【要約】【課題】高速な通信とともに省電力化を実現することができる無線ＬＡＮ通信装置、通信方法及びプログラムを提供すること。【解決手段】本発明にかかる無線ＬＡＮ通信装置１は、複数のアンテナを用いて通信する通常モード及び複数のアンテナのうち一部のアンテナを用いて通信する省電力モードのいずれかを設定するモード設定部２と、モード設定部２において省電力モードが設定されている状態において、特定動作が適用される特定通信端末へデータを送信する場合、省電力モードが設定されている際に使用するアンテナ数よりも多い数のアンテナを用いて通信を行い、特定通信端末とは異なる通常通信端末へデータを送信する場合、省電力モードが設定されている際に使用するアンテナ数と同じ数のアンテナを用いて通信を行う通信部３と、を備える【選択図】図１
2016184797.tif 000002
【特許請求の範囲】
【請求項１】
複数のアンテナを用いて通信する通常モード及び前記複数のアンテナのうち一部のアンテナを用いて通信する省電力モードのいずれかを設定するモード設定部と、
前記モード設定部において前記省電力モードが設定されている状態において、特定動作が適用される特定通信端末へデータを送信する場合、前記省電力モードが設定されている際に使用するアンテナ数よりも多い数のアンテナを用いて通信を行い、前記特定通信端末とは異なる通常通信端末へデータを送信する場合、前記省電力モードが設定されている際に使用するアンテナ数と同じ数のアンテナを用いて通信を行う通信部と、を備える無線ＬＡＮ通信装置。
【請求項２】
前記特定通信端末は、
前記通常通信端末よりも高いレートにて通信を行う通信端末である、請求項１に記載の無線ＬＡＮ通信装置。
【請求項３】
前記通信部は、
前記省電力モードが設定されている場合、前記通常通信端末を送信先とするデータを廃棄する、請求項１又は２に記載の無線ＬＡＮ通信装置。
【請求項４】
前記特定通信端末と前記通常通信端末とが識別されるように管理された管理テーブルを有する記憶部をさらに備え、
前記通信部は、
前記管理テーブルを用いて、通信を行う通信端末が前記特定通信端末に相当するか否かを判定する、請求項１乃至３のいずれか１項に記載の無線ＬＡＮ通信装置。
【請求項５】
前記管理テーブルは、
前記特定通信端末のＭＡＣアドレスもしくは前記通常通信端末のＭＡＣアドレスを管理する、請求項４に記載の無線ＬＡＮ通信装置。
【請求項６】
前記管理テーブルは、
前記省電力モードが設定されている場合における前記特定通信端末が使用するアンテナ数に関する情報を管理する、請求項４又は５に記載の無線ＬＡＮ通信装置。
【請求項７】
前記通信部は、
複数の通信端末と通信を行う場合、通信端末毎に前記特定通信端末と前記通常通信端末のいずれに相当するかを判定し、使用するアンテナ数を変更する、請求項１乃至６のいずれか１項に記載の無線ＬＡＮ通信装置。
【請求項８】
複数のアンテナを用いて通信する通常モード及び前記複数のアンテナのうち一部のアンテナを用いて通信する省電力モードのうち、前記省電力モードが設定されている状態において、通信を行う通信端末が、特定動作が適用される特定通信端末と、前記特定通信端末とは異なる通常通信端末のどちらに相当するかを判定し、
前記特定通信端末へデータを送信する場合、前記省電力モードが設定されている際に使用するアンテナ数よりも多い数のアンテナを用いて通信を行い、前記通常通信端末へデータを送信する場合、前記省電力モードが設定されている際に使用するアンテナ数と同じ数のアンテナを用いて通信を行う通信方法。
【請求項９】
前記省電力モードが設定されている状態において、通信を行う通信端末が、前記通常通信端末に相当すると判定された場合、前記通常通信端末を送信先とするデータを廃棄する、請求項８に記載の通信方法。
【請求項１０】
複数のアンテナを用いて通信する通常モード及び前記複数のアンテナのうち一部のアンテナを用いて通信する省電力モードのうち、前記省電力モードが設定されている状態において、通信を行う通信端末が、特定動作が適用される特定通信端末と、前記特定通信端末とは異なる通常通信端末のどちらに相当するかを判定し、
前記特定通信端末へデータを送信する場合、前記省電力モードが設定されている際に使用するアンテナ数よりも多い数のアンテナを用いて通信を行い、前記通常通信端末へデータを送信する場合、前記省電力モードが設定されている際に使用するアンテナ数と同じ数のアンテナを用いて通信を行うことをコンピュータに実行させるプログラム。
【発明の詳細な説明】
【技術分野】
【０００１】
本発明は無線ＬＡＮ通信装置、通信方法及びプログラムに関し、例えば複数のアンテナを用いた通信を行う無線ＬＡＮ通信装置、通信方法及びプログラムに関する。
【背景技術】
【０００２】
近年、スマートフォン等の急速な普及に伴い、動画配信等の高速な通信を必要とするサービスが増加している。そのため、高速な無線通信を実現することができる基地局もしくはアクセスポイント装置等が望まれている。そこで、高速な無線通信を実現するために、複数のアンテナを用いてデータを送信及び受信する技術が検討されている。複数のアンテナを用いてデータを送信及び受信する技術は、例えば、ＭＩＭＯ（Multiple Input and Multiple Output）等と称されている。
【０００３】
特許文献１には、複数のアンテナを用いる携帯端末において、電源を有効に活用するためにデータ伝送速度を制御する処理が記載されている。
【先行技術文献】
【特許文献】
【０００４】
【特許文献１】特開２００２−１６４８３８号公報
【発明の概要】
【発明が解決しようとする課題】
【０００５】
しかし、特許文献１においては、携帯端末の電源残量レベル等を用いて、データ伝送速度を制御することが記載されているが、複数の携帯端末と通信を行う基地局側における有効な電源制御については記載されていない。例えば、基地局が、携帯端末等との通信において、データ伝送速度を低下させて省電力による動作を行う場合、高速な通信が必要な携帯端末のデータ伝送速度も低下することとなる。そのため、高速な通信が必要な携帯端末が存在する場合、基地局は、省電力による動作へ遷移することができない、もしくは、基地局が省電力による動作へ遷移した場合、携帯端末が高速な通信を行うことができない、という問題がある。
【０００６】
本発明の目的は、高速な通信とともに省電力化を実現することができる無線ＬＡＮ通信装置、通信方法及びプログラムを提供することにある。
【課題を解決するための手段】
【０００７】
本発明の第１の態様にかかる無線ＬＡＮ通信装置は、複数のアンテナを用いて通信する通常モード及び前記複数のアンテナのうち一部のアンテナを用いて通信する省電力モードのいずれかを設定するモード設定部と、前記モード設定部において前記省電力モードが設定されている状態において、特定動作が適用される特定通信端末へデータを送信する場合、前記省電力モードが設定されている際に使用するアンテナ数よりも多い数のアンテナを用いて通信を行い、前記特定通信端末とは異なる通常通信端末へデータを送信する場合、前記省電力モードが設定されている際に使用するアンテナ数と同じ数のアンテナを用いて通信を行う通信部と、を備えるものである。
【０００８】
本発明の第２の態様にかかる通信方法は、複数のアンテナを用いて通信する通常モード及び前記複数のアンテナのうち一部のアンテナを用いて通信する省電力モードのうち、前記省電力モードが設定されている状態において、通信を行う通信端末が、特定動作が適用される特定通信端末と、前記特定通信端末とは異なる通常通信端末のどちらに相当するかを判定し、前記特定通信端末へデータを送信する場合、前記省電力モードが設定されている際に使用するアンテナ数よりも多い数のアンテナを用いて通信を行い、前記通常通信端末へデータを送信する場合、前記省電力モードが設定されている際に使用するアンテナ数と同じ数のアンテナを用いて通信を行うものである。
【０００９】
本発明の第３の態様にかかるプログラムは、複数のアンテナを用いて通信する通常モード及び前記複数のアンテナのうち一部のアンテナを用いて通信する省電力モードのうち、前記省電力モードが設定されている状態において、通信を行う通信端末が、特定動作が適用される特定通信端末と、前記特定通信端末とは異なる通常通信端末のどちらに相当するかを判定し、前記特定通信端末へデータを送信する場合、前記省電力モードが設定されている際に使用するアンテナ数よりも多い数のアンテナを用いて通信を行い、前記通常通信端末へデータを送信する場合、前記省電力モードが設定されている際に使用するアンテナ数と同じ数のアンテナを用いて通信を行うことをコンピュータに実行させるものである。
【発明の効果】
【００１０】
本発明により、高速な通信とともに省電力化を実現することができる無線ＬＡＮ通信装置、通信方法及びプログラムを提供することができる。
【図面の簡単な説明】
【００１１】
【図１】実施の形態１にかかる無線ＬＡＮ通信装置の構成図である。
【図２】実施の形態２にかかるアクセスポイントの構成図である。
【図３】実施の形態２にかかるアクセスポイントと、子機との通信を説明する図である。
【図４】実施の形態２にかかるパケット送信処理の流れを説明する図である。
【図５】実施の形態２にかかるレート選択処理を説明する図である。
【図６】実施の形態３にかかるパケット送信処理の流れを説明する図である。
【図７】実施の形態４にかかるパケット送信処理の流れを説明する図である。
【発明を実施するための形態】
【００１２】
（実施の形態１）
以下、図面を参照して本発明の実施の形態について説明する。はじめに、図１を用いて本発明の実施の形態１にかかる無線ＬＡＮ通信装置１の構成例について説明する。無線ＬＡＮ通信装置１は、プロセッサがメモリに格納されているプログラムを実行することによって動作するコンピュータ装置であってもよい。また、無線ＬＡＮ通信装置１は、アクセスポイント、ホームゲートウェイ、中継機等であってもよい。
【００１３】
無線ＬＡＮ通信装置１は、モード設定部２及び通信部３を有している。モード設定部２及び通信部３等の無線ＬＡＮ通信装置１を構成する各要素は、プロセッサがメモリに格納されているプログラムを実行することによって処理が実行されるソフトウェアもしくはモジュールであってもよい。また、無線ＬＡＮ通信装置１を構成する各要素は、回路等によって構成されてもよい。
【００１４】
モード設定部２は、複数のアンテナを用いて通信する通常モード及び複数のアンテナの内一部のアンテナを用いて通信する省電力モードのいずれかを設定する。複数のアンテナの内一部のアンテナは、例えば、１つのアンテナであってもよい。２以上のアンテナを用いて通信を行う場合、同じデータが２以上のアンテナから送信されてもよく、異なるデータが２以上のアンテナから送信されてもよい。２以上のアンテナを用いる通信方式として、例えば、ＭＩＭＯが用いられてもよい。
【００１５】
使用するアンテナ数を多くするほど、同時に送信することができるデータ量を増加させることができるため、高通信レートを実現することができる。
【００１６】
通信部３は、モード設定部２において設定された動作モードに応じて定まるアンテナ数のアンテナを用いて通信端末と通信を行う。例えば、通常モードが設定されている場合、ｎ（ｎは２以上の整数）本のアンテナを用いることが定められており、省電力モードが設定されている場合、ｍ（ｍは０以上かつｎ未満の整数）本のアンテナを用いることが定められてもよい。
【００１７】
また、通信部３は、特定動作が適用される特定通信端末、及び、特定通信端末と異なる通常通信端末と通信を行う。特定通信端末は、例えば、通常通信端末よりも高速な通信を要求する通信端末、通常通信端末よりも高い信頼性を要求する通信端末等であってもよい。通常通信端末よりも高い信頼性は、例えば、受信パケットのうちエラーパケット数が通常通信端末よりも少ないこと等であってもよい。
【００１８】
ここで、省電力モードが設定されている場合において、特定通信端末及び通常通信端末と通信を行う通信部３の動作内容について説明する。通信部３は、省電力モードが設定されている状態においては、ｍ本より多い数のアンテナを用いて特定通信端末へデータを送信する。ｍ本より多い数とは、例えば、通常動作モード時に使用するアンテナ数であるｎ本であってもよい。もしくは、ｍ本より多い数とは、ｍ本より多く、ｎ本より少ない数であってもよい。
【００１９】
また、通信部３は、省電力モードが設定されている状態においては、ｍ本のアンテナを用いて通常通信端末へデータを送信する。つまり、通信部３は、省電力モードが設定されている場合であっても、データの送信先となる通信端末の種別に応じて、使用するアンテナ数を変更する。
【００２０】
以上説明したように、本発明の実施の形態１にかかる無線ＬＡＮ通信装置１は、電力の消費を抑える省電力モードにて動作している場合であっても、特定通信端末に対しては、通常通信端末よりも多い数のアンテナを用いてデータを送信することができる。これによって、無線ＬＡＮ通信装置１は、省電力モードにて動作している場合であっても、特定通信端末に対しては高速及び大容量のデータ送信を実現することができる。
【００２１】
（実施の形態２）
続いて、図２を用いて本発明の実施の形態２にかかるアクセスポイント１０の構成例について説明する。アクセスポイント１０は、図１の無線ＬＡＮ通信装置１に相当する。アクセスポイント１０は、特定通信端末及び通常通信端末を含む子機との間において、無線ＬＡＮ通信を行う。無線ＬＡＮ通信は、例えば、ＩＥＥＥ８０２において規定されている通信方式であってもよい。アクセスポイント１０は、親機と称されてもよい。
【００２２】
アクセスポイント１０は、動作モード設定ボタン１１、制御部１２、無線部１３、記憶部１４及び入力部１５を有している。入力部１５は、アクセスポイント１０を管理するユーザ等から入力を受け付け、入力された情報を記憶部１４へ記憶する。動作モード設定ボタン１１及び制御部１２は、図１のモード設定部２に相当する。無線部１３は、図１の通信部３に相当する。
【００２３】
入力部１５は、例えば、表示部（図示せず）等に表示される入力インタフェースであってもよく、キーボード等であってもよい。記憶部１４は、アクセスポイント１０の内部に搭載されるメモリ等であってもよく、アクセスポイント１０に接続して用いられる外部メモリ等であってもよい。
【００２４】
例えば、入力部１５は、ユーザから入力された通常通信端末のＭＡＣアドレスを記憶部１４へ記憶する。ここでは、通常通信端末は、省電力モードにて動作する場合に、低通信レートへ遷移することが可能な通信端末とする。言い換えると、特定通信端末は、省電力モードにて動作する場合であっても、低通信レートへ遷移することができず、高通信レートを維持する通信端末とする。また、通常通信端末は、例えば、送受信する情報量が少ないと考えられる冷蔵庫もしくはエアコン等の家電機器において用いられる通信端末であってもよい。特定通信端末は、動画通信等を行うスマートフォンもしくはコンピュータ装置等であってもよい。
【００２５】
動作モード設定ボタン１１は、ユーザが動作モードを設定する際に押下するボタンである。動作モード設定ボタン１１は、表示部（図示せず）等の液晶画面に表示されるボタン等であってもよく、物理的に押下することができるボタン等であってもよい。動作モード設定ボタン１１は、省電力モードを選択するボタン及び通常モードを選択するボタンが用意されてもよく、もしくは、省電力モードを選択するボタンのみが用意されてもよい。動作モード設定ボタン１１において押下されたボタンの情報は、制御部１２へ出力される。
【００２６】
制御部１２は、動作モード設定ボタン１１から、ユーザが選択した動作モードに関する情報を受け取る。制御部１２は、動作モードに応じて通信端末と通信するストリーム数もしくは使用するアンテナ数を変更する。制御部１２は、設定された動作モード及び使用するアンテナ数に関する情報を無線部１３へ出力する。例えば、本図においては、通常モードにおいては、データを送信する際に２本のアンテナを使用し、省電力モードにおいては、データを送信する際に１本のアンテナを使用するとする。
【００２７】
ここで、ストリーム数は、アクセスポイント１０がデータを送信する際に使用するアンテナ数と同じ数とする。例えば、アクセスポイント１０が、データを送信する際に使用するアンテナ数を２本とすると、ストリーム数は２となり、データを送信する際に使用するアンテナ数を１本とすると、ストリーム数は１となる。
【００２８】
無線部１３は、制御部１２から、動作モードが通常モードであり、データを送信する際に２本のアンテナを使用するとの情報を受け取った場合、送信先の端末によらず、データを送信する際に２本のアンテナを使用する。
【００２９】
無線部１３は、制御部１２から、動作モードが省電力モードであり、データを送信する際に１本のアンテナを使用するとの情報を受け取った場合、送信先の端末に応じて、次の処理を実行する。無線部１３は、送信するデータの宛先に設定されているＭＡＣアドレスが、記憶部１４に記憶されているＭＡＣアドレスと一致するか否かを判定する。無線部１３は、送信するデータの宛先に設定されているＭＡＣアドレスが、記憶部１４に記憶されているＭＡＣアドレスと一致する判定した場合、１本のアンテナを使用してデータを送信する。ここでは、記憶部１４には、通常通信端末のＭＡＣアドレスが記憶されているとする。
【００３０】
無線部１３は、送信するデータの宛先に設定されているＭＡＣアドレスが、記憶部１４に記憶されているＭＡＣアドレスと一致しないと判定した場合、２本のアンテナを使用してデータを送信する。
【００３１】
ここで、図３を用いて、アクセスポイント１０と、通信端末２０及び通信端末３０との通信について説明する。アクセスポイント１０は、送信アンテナ及び受信アンテナをそれぞれ２本有するとする（以下、２×２と表記する）。また、アクセスポイント１０の記憶部１４には、ＭＡＣアドレスとして通信端末３０のＭＡＣアドレスである01:23:45:67:89:bbが設定されているとする。
【００３２】
通信端末２０は、アンテナ数は２×２であり、ＭＡＣアドレスは、01:23:45:67:89:aaとする。通信端末３０は、アンテナ数は２×２であり、ＭＡＣアドレスは、01:23:45:67:89:bbとする。
【００３３】
アクセスポイント１０は、省電力モードで動作する際に、通信端末２０と通信を行う場合、送信アンテナを２本用いた２ストリームの通信を行う。また、アクセスポイント１０は、省電力モードで動作する際に、通信端末３０と通信を行う場合、送信アンテナを１本用いた１ストリームの通信を行う。ここでは、通信端末２０が特定通信端末であり、通信端末３０が通常通信端末とする。
【００３４】
続いて、図４を用いて本発明の実施の形態２にかかるパケット送信処理の流れについて説明する。はじめに、アクセスポイント１０は、通常モードにて動作している状態とする（Ｓ１００）。次に、制御部１２は、省電力モードが設定されたか否かを判定する（Ｓ１０１）。制御部１２は、動作モード設定ボタン１１から、省電力モードが設定されたことを示す情報を受け取った場合、省電力モードが設定されたと判定する。
【００３５】
次に、無線部１３は、制御部１２において、省電力モードが設定されたと判定された場合、記憶部１４にＭＡＣアドレスが登録されているか否かを判定する（Ｓ１０２）。無線部１３は、記憶部１４にＭＡＣアドレスが登録されていると判定すると、送信データの宛先に設定されているＭＡＣアドレスが、記憶部１４に登録されているＭＡＣアドレスと一致するか否かを判定する（Ｓ１０４）。
【００３６】
次に、無線部１３は、送信データの宛先に設定されているＭＡＣアドレスが、記憶部１４に登録されているＭＡＣアドレスと一致すると判定すると、送信データを、１本のアンテナを使用した１ストリームにて送信することを選択する（Ｓ１０５）。次に、無線部１３は、選択されたアンテナの本数及びストリーム数によってデータを送信する（Ｓ１０６）。
【００３７】
ステップＳ１０１において、無線部１３は、制御部１２において、通常モードが設定されたと判定された場合、送信データを２本のアンテナを使用した２ストリームにて送信することを選択する（Ｓ１０３）。また、ステップＳ１０２において、無線部１３は、記憶部１４にＭＡＣアドレスが登録されていないと判定した場合、送信データを２本のアンテナを使用した２ストリームにて送信することを選択する（Ｓ１０３）。また、ステップＳ１０４において、無線部１３は、送信データの宛先に設定されているＭＡＣアドレスが、記憶部１４に登録されているＭＡＣアドレスと一致しないと判定すると、送信データを、２本のアンテナを使用した２ストリームにて送信することを選択する（Ｓ１０３）。
【００３８】
ここで、図４のステップＳ１０３及びステップＳ１０５の選択処理の詳細について、図５を用いて説明する。１本のアンテナを使用した１ストリームの通信においても、異なる変調方式を用いることによって、複数の通信レートを実現することができる。図５においては、レート１が１ストリームの通信において一番通信レートが低く、レート４が、１ストリームの通信において一番通信レートが高いとする。例えば、変調方式として、多値変調を用いる場合、多値数の多い変調方式を用いる場合、通信レートを高くすることができる。また、通信レートが高いほど、消費電力は大きくなるとする。
【００３９】
２本のアンテナを使用した２ストリームの通信においても、レート５が、一番通信レートが低く、レート８が、一番通信レートが高いとする。
【００４０】
ステップＳ１０３において、２ストリームの通信を行うことを選択した場合、無線部１３は、はじめにレート８の通信レートにてデータを送信してもよい。ここで、レート８を用いた通信において、予め閾値として設定した値よりも多いパケットロスが発生した場合等に、レート７の通信レートに変更してもよい。このように、レートを変更していき、閾値よりも少ないパケットロス数にて通信を行うことができたレートを以降の通信において選択してもよい。図５においては、レート６にてデータを送信することを決定したことを説明している。
【００４１】
また、ステップＳ１０５においても、無線部１３は、レート４を選択した後に、閾値とパケットロス数に応じて、レートを下げて行ってもよい。もしくは、ステップＳ１０５においては、消費電力を下げることを目的とするため、はじめからレート１を選択してもよい。
【００４２】
以上説明したように、本発明の実施の形態２にかかるアクセスポイント１０は、省電力モードにて動作した場合であっても、一律に使用するアンテナ数を減らすことはない。アクセスポイント１０は、特定の通信端末との通信においては、使用するアンテナ数を、省電力モードにおいて使用することが定められているアンテナ数よりも増加させ、高い通信レートを維持することができる。そのため、高い通信レートを要求する通信端末と低い通信レートの通信も許容する通信端末とが混在する場合においても、アクセスポイント１０は、省電力モードにて動作し、消費電力を低減させることができる。
【００４３】
また、図２の記憶部１４には、省電力モードにて動作する場合に、低通信レートへ遷移することが可能な通信端末のＭＡＣアドレス情報を記憶することを説明しているが、記憶部１４には、省電力モードにて動作する場合に、低通信レートへ遷移することを許容しない通信端末のＭＡＣアドレス情報を記憶してもよい。言い換えると、記憶部１４には、通常通信端末のＭＡＣアドレスではなく、特定通信端末のＭＡＣアドレスを記憶してもよい。
【００４４】
（実施の形態３）
続いて、図６を用いて本発明の実施の形態３にかかるパケット送信処理の流れについて説明する。図６におけるステップＳ２００〜Ｓ２０３及びステップＳ２０６は、図４のステップＳ１０１〜Ｓ１０３及びＳ１０６と同様であるため詳細な説明を省略する。
【００４５】
ステップＳ２０４において、無線部１３は、送信データの宛先に設定されているＭＡＣアドレスが、記憶部１４に登録されているＭＡＣアドレスと一致しないと判定すると、送信データを、２本のアンテナを使用した２ストリームにて送信することを選択する（Ｓ２０３）。ここでは、記憶部１４には、通常通信端末のＭＡＣアドレスが登録されているとする。
【００４６】
ステップＳ２０４において、無線部１３は、送信データの宛先に設定されているＭＡＣアドレスが、記憶部１４に登録されていると判定すると、送信データに関するパケットを廃棄する（Ｓ１０５）。つまり、図６においては、アクセスポイント１０が、省電力モードにて動作する場合、通常通信端末とアクセスポイント１０との間の通信を遮断する。
【００４７】
以上説明したように、本発明の実施の形態３にかかるパケットの送信処理を実行することによって、通常通信端末とアクセスポイント１０との間の通信にアンテナの使用本数を少なくする場合よりも、さらに、消費電力の低減を実現することができる。また、ステップＳ２０５においては、使用するアンテナの数を０本とすることによっても、パケットを廃棄する場合と同様の効果を得られる。
【００４８】
（実施の形態４）
続いて、図７を用いて本発明の実施の形態３にかかるパケット送信処理の流れについて説明する。ステップＳ３０１〜Ｓ３０３及びＳ３０６は、図４のステップＳ１０１〜Ｓ１０３及びＳ１０６と同様であるため詳細な説明を省略する。
【００４９】
ステップＳ３０４において、無線部１３は、送信データの宛先に設定されているＭＡＣアドレスが、記憶部１４に登録されているＭＡＣアドレスと一致していないと判定すると、送信データを、２本のアンテナを使用した２ストリームにて送信することを選択する（Ｓ３０３）。ここでは、記憶部１４には、通常通信端末のＭＡＣアドレスが登録されているとする。
【００５０】
ステップＳ３０４において、無線部１３は、送信データの宛先に設定されているＭＡＣアドレスが、記憶部１４に登録されているＭＡＣアドレスと一致すると判定すると、該当するＭＡＣアドレスを宛先とするデータを送信する際のレートが指定されているか否かを判定する（Ｓ３０５）。例えば、ユーザが、入力部１５を介して通常通信端末のＭＡＣアドレスを入力する際に、入力したＭＡＣアドレスへデータを送信する際のレートも併せて入力してもよい。ユーザは、例えば、図５に示されているレート１〜４を選択することによって、レートに関する情報を入力してもよい。
【００５１】
ステップＳ３０５において、無線部１３は、レートが指定されていると判定した場合、指定されたレートを選択する（Ｓ３０７）。ステップＳ３０５において、無線部１３は、レートが指定されていないと判定した場合、一番低いレートである、図５に示されるレート１を選択する（Ｓ３０６）。
【００５２】
以上説明したように、本発明の実施の形態４にかかるパケットの送信処理を実行することによって、省電力モードにおける通常通信端末のレートを任意に変更することができる。これによって、例えば、省電力効果を重視する場合には、一番低いレートを選択し、通信速度も考慮する場合には、１ストリームの中でも高いレートを選択する、といった柔軟な運用が可能となる。
【００５３】
また、記憶部１４に特定通信端末のＭＡＣアドレスが記憶されている場合、無線部１３は、特定通信端末の通信レートを選択してもよい。
【００５４】
上述の実施の形態では、本発明をハードウェアの構成として説明したが、本発明は、これに限定されるものではない。本発明は、図４、図６及び図７における処理を、ＣＰＵ（Central Processing Unit）にコンピュータプログラムを実行させることにより実現することも可能である。）
【００５５】
上述の例において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００５６】
なお、本発明は上記実施の形態に限られたものではなく、趣旨を逸脱しない範囲で適宜変更することが可能である。例えば、上記実施の形態においては、おもに、１ストリーム及び２ストリームを実現することができるアンテナ数2×2の構成を有するアクセスポイント１０について説明しているが、アクセスポイント１０は、3ストリームを実現することができる3×3、もしくは、4ストリームを実現することができる4×4の構成を有するアクセスポイント１０が用いられてもよい。
【符号の説明】
【００５７】
１  無線ＬＡＮ通信装置
２  モード設定部
３  通信部
１０  アクセスポイント
１１  動作モード設定ボタン
１２  制御部
１３  無線部
１４  記憶部
１５  入力部
２０  通信端末
３０  通信端末
【図１】
2016184797.tif 000003
【図２】
2016184797.tif 000004
【図３】
2016184797.tif 000005
【図４】
2016184797.tif 000006
【図５】
2016184797.tif 000007
【図６】
2016184797.tif 000008
【図７】
2016184797.tif 000009